(57)【要約】【課題】釣り情報表示システム、釣り情報表示装置及び釣り用リールにおいて、リールの大きさを小さく維持しながら、リールに関する情報を適宜表示できるようにする。【解決手段】電動リールの第１表示部５はセグメント方式の液晶ディスプレイであり、釣り情報表示装置６０の第２表示部６３はドットマトリックス方式の液晶ディスプレイである。釣り情報表示装置６０は、各種の操作を行う操作キー部６２と、各種のデータを記憶する記憶部６６とを有している。電動リールの第１表示部５には、リールに関する情報の一部分の情報である水深情報を表示可能である。釣り情報表示装置６０の第２表示部６３には、リールに関する情報の他部分の情報である変速段数表示や文字表示やオプション情報表示等を行う。【選択図】      図３
2004305067.tif 000002
【特許請求の範囲】
【請求項１】
リールに関する情報を表示する釣り情報表示システムであって、
前記リールに関する情報の一部分の情報を表示可能な第１表示部を有する釣り用リールと、
前記釣り用リールの外部に設けられ、前記リールに関する情報の他部分の情報を表示可能な第２表示部を有する釣り情報表示装置と、を備えた釣り情報表示システム。
【請求項２】
前記第１表示部はセグメント方式の液晶ディスプレイであり、
前記第２表示部はドットマトリックス方式の液晶ディスプレイである、請求項１に記載の釣り情報表示システム。
【請求項３】
前記釣り情報表示装置は、前記リールに関する情報を保持可能な記憶部を有している、請求項１又は２に記載の釣り情報表示システム。
【請求項４】
前記釣り情報表示装置は、前記釣り用リールを操作可能な操作部を有している、請求項１から３のいずれかに記載の釣り情報表示システム。
【請求項５】
前記釣り用リールはスプールに巻き付けられる釣り糸に連結された仕掛けの水深を計測可能な水深計測手段をさらに有しており、
前記リールに関する情報の一部分の情報は、前記水深計測手段で計測された水深情報であり、
前記リールに関する情報の他部分の情報は、前記水深情報以外の付加情報である、請求項１から４のいずれかに記載の釣り情報表示システム。
【請求項６】
リールに関する情報の一部分の情報を表示可能な釣り用リールの外部に設けられた釣り情報表示装置であって、
前記リールに関する情報の他部分の情報を表示可能な第２表示部を有する、釣り情報表示装置。
【請求項７】
前記第２表示部はドットマトリックス方式の液晶ディスプレイである、請求項６に記載の釣り情報表示装置。
【請求項８】
前記リールに関する情報を保持可能な記憶部をさらに有している、請求項６又は７に記載の釣り情報表示装置。
【請求項９】
前記釣り用リールを操作可能な操作部をさらに有している、請求項６から８のいずれかに記載の釣り情報表示装置。
【請求項１０】
前記釣り用リールはスプールに巻き付けられる釣り糸に連結された仕掛けの水深を計測可能な水深計測手段をさらに有しており、
前記リールに関する情報の一部分の情報は、前記水深計測手段で計測された水深情報であり、
前記リールに関する情報の他部分の情報は、前記水深情報以外の付加情報である、請求項６から９のいずれかに記載の釣り情報表示装置。
【請求項１１】
リールに関する情報の他部分の情報を表示可能な第２表示部を有する釣り情報表示装置が外部に設けられる釣り用リールであって、
前記リールに関する情報の一部分の情報を表示可能な第１表示部を有する、釣り用リール。
【請求項１２】
前記第１表示部はセグメント方式の液晶ディスプレイである、請求項１１に記載の釣り用リール。
【請求項１３】
スプールに巻き付けられる釣り糸に連結された仕掛けの水深を計測可能な水深計測手段をさらに備え、
前記リールに関する情報の一部分の情報は、前記水深計測手段で計測された水深情報であり、
前記リールに関する情報の他部分の情報は、前記水深情報以外の付加情報である、請求項１１又は１２に記載の釣り用リール。
【発明の詳細な説明】
【０００１】
【発明の属する技術分野】
本発明は、釣り情報表示システム、釣り情報表示装置及び釣り用リール、特に、リールに関する情報を表示する釣り情報表示システム、釣り情報表示装置及び釣り用リールに関する。
【０００２】
【従来の技術】
一般に、釣り用リールは、リール本体と、リール本体に装着されたスプールと、スプールを回転させるハンドルと、リール本体の上部に装着されるカウンタケースと、カウンタケースの上面に設けられ水深表示用の表示部を有する表示装置とを備えている。表示部は、たとえば液晶ディスプレイであり、棚位置や現在の仕掛けの水深等のリールに関する情報を表示することができる。
【０００３】
この種の表示装置を有する釣り用リールでは、カウンタケースの表示部にはリールに関する情報が表示される。しかし、近年、リールに関する情報が増加し、表示部に全ての情報を表示することが困難になりつつある。そこで、表示部自身を拡大して配置することが考えられるが、リールの大型化を招くおそれがある
。
【０００４】
そこで、リールに関する情報を表示可能な表示部を有する釣り情報表示装置をリールの外部に設けたものが知られている（たとえば、特許文献１参照）。このような釣り用リールでは、表示部をリールの外部に設けリール側には表示部が設けられていないので、リールの大きさを小さく維持することができる。
【０００５】
【特許文献１】
特開２００２−１４２６２３号公報
【０００６】
【発明が解決しようとする課題】
前記従来の釣り用リールでは、表示部はリール外部の釣り情報表示装置に設けられており、リール側には表示部が設けられていない。このため、比較的多くの情報を必要としないシンプルな釣りを行うときは、釣り情報表示装置を使用しないでリール単体で釣りを行うが、ここではリール側に表示部が設けられていないので、釣り情報表示装置を取り外すとリールに関する必要最低限の情報を十分に得ることはできない。
【０００７】
本発明の課題は、釣り情報表示システム、釣り情報表示装置及び釣り用リールにおいて、リールの大きさを小さく維持しながら、リールに関する情報を適宜表示できるようにすることにある。
【０００８】
【課題を解決するための手段】
発明１に係る釣り情報表示システムは、リールに関する情報を表示する釣り情報表示システムであって、リールに関する情報の一部分の情報を表示可能な第１表示部を有する釣り用リールと、釣り用リールの外部に設けられリールに関する情報の他部分の情報を表示可能な第２表示部を有する釣り情報表示装置とを備えている。
【０００９】
この釣り情報表示システムでは、リール側でリールに関する情報の一部分の情報を表示し、釣り情報表示装置側でリールに関する情報の他部分の情報を表示する。ここでは、たとえばリール側で棚位置や現在の仕掛けの水深等の必要最低限の表示のみを行い、釣り情報表示装置側でヘルプ機能等の付加的な表示を行うことができる。このため、釣り情報表示装置を用いずにリール単独で使用する場合には、必要最低限の表示のみ行えるので、リールに関する情報を適宜表示できる。また、釣り情報表示装置をリールに接続して使用する場合には、釣り情報表示装置側で付加的な表示を行えるので、リールの大きさを小さく維持しながら、リールに関する情報を大量表示できる。
【００１０】
発明２に係る釣り情報表示システムは、発明１の釣り情報表示システムにおいて、第１表示部はセグメント方式の液晶ディスプレイであり、第２表示部はドットマトリックス方式の液晶ディスプレイである。この場合、必要最低限の表示のみ行う第１表示部をセグメント方式の液晶ディスプレイにすることにより、リールの小型化を図ることができ、付加的な表示を行う第２表示部をドットマトリックス方式の液晶ディスプレイにすることにより、リールに関する情報を大量表示できる。
【００１１】
発明３に係る釣り情報表示システムは、発明１又は２の釣り情報表示システムにおいて、釣り情報表示装置は、リールに関する情報を保持可能な記憶部を有している。この場合、釣り情報表示装置にたとえば複数の誘いデータ等の各種のデータを保持する記憶部を設けることにより、リール側の記憶領域を超える付加的な情報を大量に保持することができる。また、釣り情報表示装置をリールに接続して使用するときに必要なデータを釣り情報表示装置側に保持することにより、リール単体で使用するときに不要なデータをリール側に保持する必要がなくなる。
【００１２】
発明４に係る釣り情報表示システムは、発明１から３のいずれかの釣り情報表示システムにおいて、釣り情報表示装置は、釣り用リールを操作可能な操作部を有している。この場合、釣り情報表示装置にリール操作用の操作部を設けることにより、リールの操作性が向上する。
発明５に係る釣り情報表示システムは、発明１から４のいずれかの釣り情報表示システムにおいて、釣り用リールはスプールに巻き付けられる釣り糸に連結された仕掛けの水深を計測可能な水深計測手段をさらに有しており、リールに関する情報の一部分の情報は水深計測手段で計測された水深情報であり、リールに関する情報の他部分の情報は水深情報以外の付加情報である。この場合、リール側で必要最低限な情報である水深情報を表示し、釣り情報表示装置側で水深情報以外の付加的な情報を表示できる。
【００１３】
発明６に係る釣り情報表示装置は、リールに関する情報の一部分の情報を表示可能な釣り用リールの外部に設けられた釣り情報表示装置であって、リールに関する情報の他部分の情報を表示可能な第２表示部を有する。この場合、リールの大きさを小さく維持しながら、リールに関する情報を大量表示できる。
発明７に係る釣り情報表示装置は、発明６の釣り情報表示装置において、第２表示部はドットマトリックス方式の液晶ディスプレイである。この場合、付加的な表示を行う第２表示部をドットマトリックス方式の液晶ディスプレイにすることにより、リールに関する情報を大量表示できる。
【００１４】
発明８に係る釣り情報表示装置は、発明６又は７の釣り情報表示装置において、リールに関する情報を保持可能な記憶部をさらに有している。この場合、リール側の記憶領域を超える付加的な情報を大量に保持することができる。
発明９に係る釣り情報表示装置は、発明６から８のいずれかの釣り情報表示装置において、釣り用リールを操作可能な操作部をさらに有している。この場合、リールの操作性が向上する。
【００１５】
発明１０に係る釣り情報表示装置は、発明６から９のいずれかの釣り情報表示装置において、釣り用リールはスプールに巻き付けられる釣り糸に連結された仕掛けの水深を計測可能な水深計測手段をさらに有しており、リールに関する情報の一部分の情報は水深計測手段で計測された水深情報であり、リールに関する情報の他部分の情報は水深情報以外の付加情報である。この場合、リール側で必要最低限な情報である水深情報を表示し、釣り情報表示装置側で水深情報以外の付加的な情報を表示できる。
【００１６】
発明１１に係る釣り用リールは、リールに関する情報の他部分の情報を表示可能な第２表示部を有する釣り情報表示装置が外部に設けられる釣り用リールであって、リールに関する情報の一部分の情報を表示可能な第１表示部を有する。この場合、リールの第１表示部では、水深等の必要最低限のリールに関する情報のみをシンプルに表示できるとともに、リール全体をコンパクトにすることができる。また、釣り情報表示装置の第２表示部では、自動しゃくり動作等の付加的なリールに関する情報を大きな画面に詳細かつ大量に表示できる。ここでは、第１表示部及び第２表示部のそれぞれの効果を同時に実現することができる。
【００１７】
発明１２に係る釣り用リールは、発明１１の釣り用リールにおいて、第１表示部はセグメント方式の液晶ディスプレイである。この場合、必要最低限の表示のみを行う第１表示部をセグメント方式の液晶ディスプレイにすることにより、リールの小型化を図ることができる。
発明１３に係る釣り用リールは、発明１１又は１２の釣り用リールにおいて、スプールに巻き付けられる釣り糸に連結された仕掛けの水深を計測可能な水深計測手段をさらに備え、リールに関する情報の一部分の情報は水深計測手段で計測された水深情報であり、リールに関する情報の他部分の情報は水深情報以外の付加情報である。この場合、リール側で必要最低限な情報である水深情報を表示し、釣り情報表示装置側で水深情報以外の付加的な情報を表示できる。
【００１８】
【発明の実施の形態】
本発明の一実施形態を採用した電動リールは、図１に示すように、釣竿Ｒに装着されるリール本体１と、リール本体１の側方に配置されたスプール回転用のハンドル２と、ハンドル２のリール本体１側に配置されたドラグ調整用のスタードラグ３と、リール本体１の上部に設けられたケース部材４とを備えている。
【００１９】
リール本体１は、釣竿Ｒに装着されるものであり、左右１対の側板７ａ、７ｂとそれらを連結する複数の連結部８とからなるフレーム７と、フレーム７の左右を覆う左右の側カバー９ａ、９ｂとを有している。ハンドル２側の側カバー９ｂには、ハンドル２の図示しない回転軸が回転自在に支持されている。
リール本体１の内部には、ハンドル２に連結されたスプール１０が回転自在に支持されている。スプール１０の内部には、スプール１０を糸巻き上げ方向に回転駆動するモータ１２が配置されている。また、側カバー９ｂのハンドル２側側面には図示しないクラッチ機構を操作するためのクラッチレバー１１が配置されている。後部の連結部８の側板７ａ側には図示しない外部電源及び別体で設けられた後述する釣り情報表示装置６０を接続するためのリールコード１９が装着されている。
【００２０】
ケース部材４は、図１に示すように、リール本体１の上部に配置されたアルミニウム合金製のケースであり、内部の空間に各種の電気部品が収納されている。ケース部材４の上面には、透明樹脂製の表示窓を介して仕掛けの水深や棚位置を水面からと底からとの２つの基準でリールに関する情報を表示するための液晶ディスプレイからなる第１表示部５と、第１表示部５の周囲に配置された操作キー部６とが設けられている。操作キー部６は、後述する釣り情報表示装置６０の第２表示部６３の表示制御等の各種の制御を行うスイッチとしても機能する。
【００２１】
第１表示部５は、図２に示すように、セグメント方式の液晶ディスプレイであり、中央に配置された４桁の７セグメント表示の水深表示領域５ａと、その下方に配置された３桁の底水深表示領域５ｂとを有している。第１表示部５には、リールに関する情報の一部分の情報である水深情報が表示される。この水深情報は、後述するリール制御部３０（図３参照）の演算により算出され、スプール１０に巻き付けられる釣り糸に連結された仕掛けの水深を表す情報である。
【００２２】
操作キー部６は、第１表示部５の図２右側に上下に並べて配置された変速キーＳＫ及びモータキーＰＷと、図２左側に上下に並べて配置された底メモキーＳＭ及びモードキーＭＤとを有している。
モータキーＰＷは、モータ１２をオン、オフするとともに、オン時間によりモータ１２を増速するためのトグルスイッチである。
【００２３】
変速キーＳＫは、駆動されたモータ１２を増減速するためのキーであり、上下の２つのスイッチ（上スイッチＳＫ１及び下スイッチＳＫ２）と中立位置とを有するシーソー型のスイッチである。上スイッチＳＫ１を押すと増速し、下スイッチＳＫ２を押すと減速する。また、モータ１２を駆動していないときに上スイッチＳＫ１を所定時間以上押すと表示モードを「上から」と「底から」との間で切り換えできる。また、下スイッチＳＫ２を所定時間以上押すと糸送りモード（繰り出し時にクラッチを切った状態でモータ１２を駆動させて糸送り速度を速くするモード）をオン、オフできる。
【００２４】
底メモキーＳＭは、仕掛けが底に到達したときに押されるスイッチであり、そのときの水深が底として設定される。この底メモキーＳＭを所定時間以上押すと、釣り糸が切れたときになどに水深表示の０点を新たな位置にセットできる。
モードキーＭＤは、５種の糸巻モードを設定するためのスイッチであり、たとえばこれを１回押すと学習モードに設定され、２回連続して押すと指定モード、３回連続して押すと下巻モード、４回連続して押すと修正モード、５回連続して押すと入力モードにそれぞれ糸巻モードが設定される。
【００２５】
操作キー部６は、後述する釣り情報表示装置６０の第２表示部６３の表示制御等を行うことも可能である。たとえば操作キー部６を操作することにより、第２表示部６３に表示されるメニュー等を選択できる。
ケース部材４の内部には、図３に示すように、水深表示制御やモータ駆動制御等を行うＣＰＵ、ＲＡＭ、ＲＯＭ、Ｉ／Ｏインターフェイス等を含むマイクロコンピュータからなるリール制御部３０を有している。リール制御部３０には、操作キー部６の各種キー、スプール１０の回転位置及び方向を検出するためのスプールセンサ４１、スプールセンサ４１からの所定パルス毎に値が変化するスプールカウンタ４２が接続されている。また、リール制御部３０には、各種の警報を出力するためのブザー４３、各種の表示を行うための第１表示部５、各種のデータを記憶する記憶部４５、モータ１２をＰＷＭ駆動するＦＥＴを含むＰＷＭ駆動回路４４、及び他の入出力部が接続されている。さらに、リール制御部３０には、リールに関する情報を外部に送信したり、釣り情報表示装置６０からのリールに関する情報を受信するための情報通信部５０が接続されている。
【００２６】
情報通信部５０は、図１及び図３に示すように、リールコード１９を介した有線通信によって、釣り情報表示装置６０に設けられた情報通信部５１に接続されている。
釣り情報表示装置６０は、図１に示すように、本体部材６４と、本体部材６４に装着され各種の情報を表示可能な第２表示部６３と、第２表示部６３の周囲に配置され各種の操作を行う操作キー部６２と、本体部材６４の内部に配置され各種のデータを記憶する記憶部６６とを有している。
【００２７】
本体部材６４は、図１に示すように、各種の電気部品が収納される金属製の第１部材６４ｂと、第２表示部６３が設けられる合成樹脂製の第２部材６４ａとを有している。
釣り情報表示装置６０の内部には、図３に示すように、表示制御等を行うＣＰＵ、ＲＡＭ、ＲＯＭ、Ｉ／Ｏインターフェイス等を含むマイクロコンピュータからなる情報表示制御部６１を有している。情報表示制御部６１には、情報通信部５１、操作キー部６２の各種キー、各種の表示を行うための第２表示部６３、各種のデータを記憶する記憶部６６が接続されている。記憶部６６には、たとえば複数の誘いデータ等の各種のデータが保持され、これらのデータを元に釣人が釣り情報表示装置６０の操作キー部６２を操作することにより、情報通信部５１、情報通信部５０、リール制御部３０を介してリールの制御である棚停止機能、誘い機能や自動しゃくり機能等の制御を行うことができる。
【００２８】
情報通信部５１は、図３に示すように、リールに設けられた情報通信部５０と有線通信可能である。リールと釣り情報表示装置６０とは、ソケット式のリールコード１９により連結され電力及び情報を送受信できる。また、釣り情報表示装置６０と図示しない外部電源とは、鰐口式のコードにより連結され、これにより電力が供給されている。
【００２９】
操作キー部６２は、第２表示部６３の表示制御等の各種の制御を行うスイッチである。操作キー部６２は、釣り情報表示装置６０側の制御だけでなく、リール側の制御を行うことができる。たとえば操作キー部６２の操作により、棚停止等の制御を行ったり、モータ１２の回転制御等を行うことができる。
第２表示部６３は、図７及び図８に示すように、ドットマトリックス方式の液晶ディスプレイであって、たとえばカラーＴＦＴ方式の液晶ディスプレイである。第２表示部６３は、第１表示部５で表示可能な水深情報と、第１表示部５で表示可能な水深情報以外のリールに関する情報の他部分の情報との両方の情報が表示可能である。第２表示部６３は、図７に示す釣りモードと、図８に示す情報モードとの複数パターンの表示が可能である。
【００３０】
第２表示部６３は、釣りモードのときは、図７に示すように、中央に配置された４桁のドット数字表示の水深表示領域６３ａと、その下方に配置されたドット数字表示の底水深表示領域６３ｂと、水深表示領域６３ａの右側に配置された変速段数表示領域６３ｃとを有している。また、第２表示部６３には、「底から」、「学習」、「指定」、「下巻」、「修正」、「入力」、「糸送止」、「０セット」の８つの文字を切り換えてドット表示可能である。「底から」の文字は、水深表示モードが底からモードの時に表示される。底からモードとは、仕掛けの水深を底基準で表示するモードである。なお、通常は、仕掛けの水深は水面基準（上からモード）で表示される。また、「学習」から「入力」までの文字は、糸巻モードの種類を示しており、いずれかが択一的に選択されると選択された糸巻モードの文字が表示される。
【００３１】
また、第２表示部６３は、情報モードのときは、図８に示すように、ヘルプ表示や、誘いデータに関する設定や、各種の設定を行うためのオプション情報が表示可能である。このオプション情報表示画面では、水深情報以外の付加的な情報を表示したり、各種の設定を行うことができる。
次に、リール制御部３０によって行われるリールの主な制御処理を図４以降に示す制御フローチャートに従って説明する。
【００３２】
電動リールに外部電源が接続されると、図４に示すステップＳ１において初期設定が行われる。ここでは、各種のフラグをリセットしたり、表示モードを釣りモードに設定する等の処理を実行する。
ステップＳ２では、第１表示部５及び第２表示部６３に対する表示処理を行う。ここでは、第２表示部６３において表示モードが釣りモードのときには、図７に示すように、算出された水深表示や速度表示を行う。また、第２表示部６３において通信モードのときには、図８に示すように、オプション情報表示画面を表示する。
【００３３】
ステップＳ３では、操作キー部６の各種キーの操作によるキー入力の割り込みがなされたか否かを判断する。ステップＳ３においてキー入力がなされると、ステップＳ６に移行し、キー入力処理を行う。
ステップＳ４では、スプール１０が回転したか否かを判断する。この判断は、スプールセンサ４１の出力により判断する。スプール１０が回転していると判断すれば、ステップＳ４からステップＳ７に移行する。ステップＳ７では、通信モードであるか否かの判断を行い、通信モードのときにはステップＳ８に移行して、表示モードを通信モードから釣りモードに切り換える。通信モードではないとき、及びステップＳ８の処理が終了すると、ステップＳ９の各動作モード処理に移行する。
【００３４】
ステップＳ５では、その他の指令がなされたか否かを判断する。その他の指令がなされるとステップＳ５からステップＳ１０に移行し、指令に応じたその他の処理を行う。
ステップＳ６のキー入力処理では、図５のステップＳ１１でモードキーＭＤが操作されたか否かを判断する。ステップＳ１２では、変速キーＳＫ又はモータキーＰＷが操作されたか否かを判断する。ステップＳ１３では他のキーが操作されたか否かを判断する。
【００３５】
モードキーＭＤが操作されたと判断するとステップＳ１１からステップＳ１５に移行し、表示モードが釣りモードか否かを判断する。釣りモードのときにはステップＳ１６に移行し、表示モードを通信モードに切り換える。通信モードのときにはステップＳ１７に移行し表示モードを釣りモードに切り換える。表示モードが通信モードに切り換えられると、情報通信部５０を制御して釣り情報表示装置６０との通信が可能になる。
【００３６】
変速キーＳＫ又はモータキーＰＷが操作されるとステップＳ１２からステップＳ１８に移行する。ステップＳ１８では、表示モードが釣りモードか否かを判断する。釣りモードと判断するとステップＳ１９に移行し、変速キーＳＫ又はモータキーＰＷの操作されたキーに応じたモータ制御処理を行う。たとえば、モータキーＰＷが押圧操作されるとモータ１２をオン、オフする。変速キーＳＫにおいては、上スイッチＳＫ１を押圧操作されると増速処理し、下スイッチＳＫ２が押圧操作されると減速処理する。
【００３７】
通信モードのときには、ステップＳ２０に移行し、カーソルの移動によりメニューを制御するメニュー制御処理を実行する。
ステップＳ２０のメニュー制御処理では、上スイッチＳＫ１又は下スイッチＳＫ２により第１表示部５上でカーソルの移動を行い、中央のスイッチの押圧によりメニューの選択を行う。たとえば、上スイッチＳＫ１又は下スイッチＳＫ２を押すと、カーソルがメニューの項目を上下に移動して中央のスイッチの押圧操作によりメニューが選択され、情報通信部５０から情報が受信され、次の処理に移る。そして、上スイッチＳＫ１又は下スイッチＳＫ２によりカーソルを上下に移動していくつかの選択処理を行うと、さらに詳細なオプション情報表示画面を表示可能になる。
【００３８】
ステップＳ９の各動作モード処理では、図６のステップＳ４１でスプール１０の回転方向が糸繰り出し方向か否かを判断する。この判断は、スプールセンサ４１のいずれのリードスイッチが先にパルスを発したか否かにより判断する。スプール１０の回転方向が糸繰り出し方向と判断するとステップＳ４１からステップＳ４２に移行する。
【００３９】
ステップＳ４２では、スプールセンサ４１の所定パルス毎に減少するスプールカウンタ４２の値から記憶部４５に記憶されたデータを読み出し、繰り出された糸長を算出しさらに糸長から水深ＬＸを算出する。この得られた水深ＬＸがステップＳ２の表示処理で表示される。このときの第１表示部５の画面例を図２に、第２表示部６３の画面例を図７に示す。この釣りモードの各動作モード処理では、第１表示部５及び第２表示部６３に仕掛けの水深や棚位置やスプール１０の速度などの情報が表示される。
【００４０】
ステップＳ４３では、得られた水深ＬＸが棚位置に一致したか、つまり、仕掛けが棚に到達したか否かを判断する。ステップＳ４４では、他の釣りモードか否かを判断する。他の釣りモードではない場合には、各動作モード処理を終わりメインルーチンに戻る。
水深が棚位置に一致するとステップＳ４３からステップＳ４５に移行し、仕掛けが棚に到達したことを報知するためにブザー４３を鳴らす。他の釣りモードの場合には、ステップＳ４４からステップＳ４６に移行し、指定された他の釣りモードを実行する。
【００４１】
スプール１０の回転が糸巻き取り方向と判断するとステップＳ４１からステップＳ４９に移行する。ステップＳ４９では、スプールセンサ４１の所定パルス毎に増加するスプールカウンタ４２の値から記憶部４５に記憶されたデータを読み出し、繰り出された糸長を算出しさらに糸長から水深ＬＸを算出する。この得られた水深ＬＸもステップＳ２の表示処理で表示される。
【００４２】
ステップＳ５０では、水深が船縁停止位置に一致したか否かを判断する。船縁停止位置まで巻き取っていない場合にはメインルーチンに戻る。
船縁停止位置に到達するとステップＳ５０からステップＳ５１に移行する。ステップＳ５１では、仕掛けが船縁にあることを報知するためにブザー４３を鳴らす。ステップＳ４４では、モータ１２をオフする。これにより魚が釣れたときに取り込みやすい位置に魚が配置される。この船縁停止位置は、たとえば水深６ｍ以内で所定時間以上スプール１０が停止しているとセットされる。
【００４３】
この電動リールでは、リール側で水深情報を表示し、釣り情報表示装置６０側で変速段数表示や文字表示やオプション情報表示等を行う。ここでは、リール側で必要最低限の水深表示のみを行い、釣り情報表示装置６０側でオプション情報表示等の付加的な表示を行うことができる。このため、釣り情報表示装置６０を用いずにリール単独で使用する場合には、必要最低限の水深表示を行えるので、リールに関する情報を適宜表示できる。また、釣り情報表示装置６０をリールに接続して使用する場合には、釣り情報表示装置６０側でオプション情報表示等の付加的な表示を行えるので、リールの大きさを小さく維持しながら、リールに関する情報を大量表示することができる。
【００４４】
〔他の実施形態〕
（ａ）  前記実施形態では、釣り用リールとして電動リールを例に説明したが、これに限定されず、手巻きのカウンタリール等であってもよい。
（ｂ）  図９に示すように、情報通信部５１と通信可能な釣り船の情報収集手段として魚群探知機５３やＧＰＳ５４を接続し、これらの情報を付加的な情報として第２表示部６３に表示させるようにしてもよい。また、魚群探知機５３やＧＰＳ５４以外に、たとえば、釣り船がインターネット情報を収集できる機能を有している場合には、得られたインターネット情報を表示できるようにしてもよいし、釣り船が海底などの地形情報を収集できる場合には、得られた地形情報を表示するようにしてもよい。
【００４５】
（ｃ）  電動リールと釣り情報表示装置６０との接続方法は、前記実施形態に限定されず、図１０に示すように、釣り情報表示装置６０にアンテナ部６５を設け電動リールと無線通信するようにしてもよい。無線通信の方法は、ＢｌｕｅｔｏｏｔｈやＷｉ−Ｆｉ等の無線通信技術に限定されず、赤外線通信や他の通信プロトコルを用いてもよい。
【００４６】
（ｄ）  前記実施形態では、釣り情報表示装置６０は外部電源から給電されていたが、内部電池により給電するようにしてもよい。また、電動リールと釣り情報表示装置６０とがリールコード１９により接続されていたが、電動リールと外部電源とを直接的に接続してもよい。また、コードのコネクタの形状は、ソケット式及び鰐口式に限定されるものではない。
【００４７】
（ｅ）  前記実施形態では、釣り情報表示装置６０は、電動リールの外部に離反して設けられていたが、電動リールのケース部材４の前部又は上部に着脱可能に装着できる構成にしてもよい。
（ｆ）  前記実施形態では、電動リールの操作キー部６によって釣り情報表示装置６０を制御可能、かつ釣り情報表示装置６０の操作キー部６２によって電動リールを制御可能であったが、双方向の制御でなくいずれかの方向の制御のみ可能な構成であってもよい。
【００４８】
（ｇ）  前記実施形態では、第１表示部５及び第２表示部６３に表示されるリールに関する情報はこれらの組み合わせに限定されない。たとえば第１表示部５にリールに関する情報の一部分の情報として変速段数表示や必要最低限の文字表示をしたり、あるいは第２表示部６３に水深情報を非表示にしたりしてもよい。
また、オプション情報表示の内容も他の付加的な情報を切り換えて表示できるようにしてもよい。
【００４９】
【発明の効果】
本発明によれば、リール側でリールに関する情報の一部分の情報を表示し、釣り情報表示装置側でリールに関する情報の他部分の情報を表示するので、リールの大きさを小さく維持しながら、リールに関する情報を適宜表示できる。
【図面の簡単な説明】
【図１】本発明の一実施形態による電動リールの斜視図。
【図２】前記電動リールの平面一部拡大図。
【図３】前記電動リールの制御ブロック図。
【図４】メインルーチンの処理の内容を示すフローチャート。
【図５】キー入力処理の内容を示すフローチャート。
【図６】各動動作モード処理の内容を示すフローチャート。
【図７】釣り情報表示装置の表示画面の一例を示す図。
【図８】前記釣り情報表示装置の別の表示画面の一例を示す図。
【図９】他の実施形態の図３に相当する図。
【図１０】他の実施形態の図１に相当する図。
【符号の説明】
１  リール本体
５  第１表示部
６  操作キー部
１０  スプール
３０  リール制御部
５０、５１  情報通信部
６０  釣り情報表示装置
６１  情報表示制御部
６２  操作キー部
６３  第２表示部
６４  本体部材
６６  記憶部
【図１】
2004305067.tif 000003
【図２】
2004305067.tif 000004
【図３】
2004305067.tif 000005
【図４】
2004305067.tif 000006
【図５】
2004305067.tif 000007
【図６】
2004305067.tif 000008
【図７】
2004305067.tif 000009
【図８】
2004305067.tif 000010
【図９】
2004305067.tif 000011
【図１０】
2004305067.tif 000012